(57)【特許請求の範囲】
【請求項１】
複数のユーザ側通信装置と一つのセンタ側通信装置との間で通信を行う通信システムにおいて、
各前記ユーザ側通信装置からセンタ側通信装置への通信及び、前記センタ側通信装置から各前記ユーザ側通信装置への通信は、各々異なる波長を用い、
前記ユーザ側通信装置と前記センタ側通信装置は光ファイバを多対１に分岐結合する光スプリッタを介して光ファイバで接続され、
前記光スプリッタと各前記ユーザ側通信装置との間の伝送路に、該当ユーザ側通信装置に割り当てられた通信用の波長を選択的に透過するための波長選択機構部を有し、
各前記ユーザ側通信装置内では、前記通信用の波長のうちの該当ユーザ側通信装置に割り当てられた上り信号用の波長を折り返すことを特徴とする波長多重通信システム。
【請求項２】
請求項１において、前記光スプリッタと各前記波長選択機構部の間の伝送路が１芯の光ファイバであり、前記波長選択機構部と前記ユーザ側通信装置との間の伝送路が２芯の光ファイバであり、前記波長選択機構部は、前記光スプリッタから前記ユーザ側通信装置へ向かう方向の光信号のうち、予め定められた波長の光のみを前記ユーザ側通信装置と接続された一方の光ファイバに通過し、前記波長選択機構部と前記ユーザ側通信装置と接続された前記光ファイバとは異なる光ファイバから前記波長選択機構部に入力した光信号のうち前記波長とは異なる予め定められた波長の光のみを前記光スプリッタと接続された光ファイバに透過することを特徴とする波長多重通信システム。
【請求項３】
請求項１において、前記光スプリッタと各前記ユーザ側通信装置との間の伝送路が２芯の光ファイバであり、前記光スプリッタと前記ユーザ側通信装置の間の各々の光ファイバに前記波長選択機構部が接続され、前記波長選択機構部は、前記通信システム内部で重複がないように定められた特定の波長の光のみを透過する波長フィルタであることを特徴とする波長多重通信システム。
【請求項４】
複数のユーザ側通信装置と一つのセンタ側通信装置との間で通信を行う通信システムにおいて、各前記ユーザ側通信装置からセンタ側通信装置への通信及び、前記センタ側通信装置から各前記ユーザ側通信装置への通信は、各々異なる波長を用い、前記ユーザ側通信装置と前記センタ側通信装置は光ファイバを多対１に分岐結合する光スプリッタを介して光ファイバで接続され、前記光スプリッタと各前記ユーザ側通信装置との間の伝送路に、該当ユーザ側通信装置に割り当てられた通信用の波長を選択的に透過するための波長選択機構部を有すること、
前記光スプリッタと各前記波長選択機構部の間の伝送路が１芯の光ファイバであり、前記波長選択機構部と前記ユーザ側通信装置との間の伝送路が２芯の光ファイバであり、前記ユーザ側通信装置の発光素子が、回折格子を用いたブラッグ反射により発光する波長が決まるブラッグ反射型半導体レーザであって、半導体素子と回折格子が分離して設置されており、前記半導体素子は前記ユーザ側通信装置内に設置され、前記回折格子は前記波長選択機構部に設置され、前記波長選択機構部は、前記光スプリッタから前記ユーザ側通信装置へ向かう方向の光信号のうち、予め定められた波長の光のみを前記ユーザ側通信装置と接続された前記回折格子が設置されていない方の光ファイバに通過することを特徴とする波長多重通信システム。
【請求項５】
請求項１において、前記光スプリッタと各前記ユーザ側通信装置との間の伝送路が１芯の光ファイバであり、前記波長選択機構部は、予め定められた波長範囲の光のみを透過し、それ以外の波長の光を透過せず、各前記ユーザ側通信装置は、各々接続された前記波長選択機構部が透過可能な２種類の波長の異なる光を用いて前記センタ側通信装置と通信を行うことを特徴とする波長多重通信システム。
【請求項６】
請求項１，２，３又は５のいずれかに記載した前記センタ側通信装置は、各前記ユーザ側通信装置から前記センタ側通信装置への通信及び、前記センタ側通信装置から各前記ユーザ側通信装置への通信で使用している前記波長とは異なる波長の光を用い、すべての前記ユーザ側通信装置へ向けて放送形式で信号を送信し、前記波長選択機構部は、該当する前記ユーザ側通信装置が前記センタ側通信装置との間の前記通信に用いている２つの波長のほかに、前記放送形式で送信された信号の波長をも通過することにより、前記放送形式の信号をすべての前記ユーザ側通信装置で受信することを特徴とする波長多重通信システム。
【請求項７】
請求項１，２，３，５又は６のいずれかに記載した前記波長選択機構部は、光ファイバを接続する光終端箱に収容されることを特徴とする波長多重通信システム。
【請求項８】
請求項７に記載された前記光終端箱は、屋外光ケーブルと構内光ケーブルを接続する光終端箱であることを特徴とする波長多重通信システム。
【発明の詳細な説明】
【０００１】
【発明の属する技術分野】
本発明は、波長多重通信技術に関する波長多重通信システムであり、波長選択機構を用いたものである。
【０００２】
【従来の技術】
従来の技術を用いた波長多重（Wave-length Division Multiplexing:ＷＤＭ）通信システムを図１３に示す。
図１３に示すように、従来のＷＤＭ通信システムでは、アクセス系に用いられる場合には、ユーザ毎に上り及び下り方向の通信に異なる波長を割り当てることにより、通信を行う。
【０００３】
即ち、複数のユーザ側通信装置Ａ，Ｂ，Ｃ，Ｄと一つのセンタ側通信装置１０との間で通信を行う通信システムにおいて、各ユーザ側通信装置Ａ〜Ｄからセンタ側通信装置１０への通信及び、センタ側通信装置１０から各ユーザ側通信装置Ａ〜Ｄへの通信は、各々異なる波長λ２，４，６，８及びλ１，３，５，７を用いる。
【０００４】
このような波長多重技術を用いた通信システムは、各波長λ１，３，５，７及びλ２，４，６，８の通信信号を分離するために、図に示すようにＷＤＭフィルタ２０と呼ばれる１対多の波長分岐結合素子が必要である。
このＷＤＭフィルタ２０は、該当ユーザ側通信装置Ａ〜Ｄに割り当てられた受信用の波長λ１，３，５又は７のみを該当ユーザ側通信装置Ａ〜Ｄと接続された光ファイバヘ透過し、また該当ユーザ側通信装置Ａ，Ｂ，Ｃ又はＤに割り当てられた送信用波長λ２，４，６又は８のみを、該当ユーザ側通信装置Ａ，Ｂ，Ｃ又はＤと接続された光ファイバから、センタ側通信装置１０に接続された光ファイバヘ透過する機能を有する。
【０００５】
このＷＤＭフィルタ２０は、複数のユーザ側通信装置Ａ〜Ｄが共用で使用するために、ユーザ側通信設備が設置される複数の建物に近い電柱の上に設置される。
このため、ユーザ側通信装置Ａ〜Ｄの変更などで、割り当て波長に変更が発生した場合には、電柱の上に設置されたＷＤＭフィルタ２０を交換する必要が生じ、作業を迅速に行うことができず、また、ＷＤＭフィルタ２０の交換時に現在通信中のユーザの通信も切れてしまうといった問題があった。
【０００６】
また、パッシブ・オプティカル・ネットワーク（ＰＯＮ）形態のシステムを使用してサービスを展開している地域に、このような波長多重技術を用いたシステムを導入する場合には、既に電柱の上に設置された未使用の光スプリッタがあったとしても、それを使用することができず、あらたにＷＤＭフィルタ２０を柱上に設置しなければならず、設備使用の効率の点からも問題があった。
【０００７】
【発明が解決しようとする課題】
従来のＷＤＭ通信システムにおいて、通常の作業に適さない場所にＷＤＭフィルタ２０があるため、交換作業などを迅速に行うことができないといった問題があった。
即ち、従来のＷＤＭ通信システムでは、各ユーザ毎に光信号の波長を割り当てているため、各ユーザ毎に所定波長の信号を送出するユーザ側通信装置Ａ〜Ｄ及び屋外の電柱に波長合分波フィルタを設置する必要があり、ユーザの移転等により設置場所の変更があった場合、ユーザ側通信装置Ａ〜Ｄを取り替える必要があったと共に、電柱に設置された波長選択フィルタも使用波長の変更等が発生した場合、その都度、フィルタを交換する必要があったため、交換コストがかかっていた。
【０００８】
更に、従来のＷＤＭ通信システムにおいては、システムのアップグレードやユーザ側通信装置Ａ〜Ｄの変更に伴う波長割り当ての変更において、複数のユーザで共用しているＷＤＭフィルタ２０の交換が必要となり、交換時に通信中のユーザの通信が断になってしまうといった問題があった。
更に、ユーザに波長を割り当てる場合、波長毎にユーザ側通信装置が必要であるといった問題があった。
更に、従来の通信システムにおいてはユーザ毎にユーザ側通信装置は特定の波長に対し装置が必要であるため、設置場所が変更になった場合、装置を取り替える必要があるといった問題があった。
また、波長毎にユーザ管理を行う必要があるといった問題があった。
【０００９】
【課題を解決するための手段】
上記課題を解決する本発明の請求項１に係る波長多重通信システムは、複数のユーザ側通信装置と一つのセンタ側通信装置との間で通信を行う通信システムにおいて、各前記ユーザ側通信装置からセンタ側通信装置への通信及び、前記センタ側通信装置から各前記ユーザ側通信装置への通信は、各々異なる波長を用い、前記ユーザ側通信装置と前記センタ側通信装置は光ファイバを多対１に分岐結合する光スプリッタを介して光ファイバで接続され、前記光スプリッタと各前記ユーザ側通信装置との間の伝送路に、該当ユーザ側通信装置に割り当てられた通信用の波長を選択的に透過するための波長選択機構部を有し、各前記ユーザ側通信装置内では、前記通信用の波長のうちの該当ユーザ側通信装置に割り当てられた上り信号用の波長を折り返すことを特徴とする。
【００１０】
上記課題を解決する本発明の請求項２に係る波長多重通信システムは、請求項１において、前記光スプリッタと各前記波長選択機構部の間の伝送路が１芯の光ファイバであり、前記波長選択機構部と前記ユーザ側通信装置との間の伝送路が２芯の光ファイバであり、前記波長選択機構部は、前記光スプリッタから前記ユーザ側通信装置へ向かう方向の光信号のうち、予め定められた波長の光のみを前記ユーザ側通信装置と接続された一方の光ファイバに通過し、前記波長選択機構部と前記ユーザ側通信装置と接続された前記光ファイバとは異なる光ファイバから前記波長選択機構部に入力した光信号のうち前記波長とは異なる予め定められた波長の光のみを前記光スプリッタと接続された光ファイバに透過することを特徴とする。
【００１１】
上記課題を解決する本発明の請求項３に係る波長多重通信システムは、請求項１において、前記光スプリッタと各前記ユーザ側通信装置との間の伝送路が２芯の光ファイバであり、前記光スプリッタと前記ユーザ側通信装置の間の各々の光ファイバに前記波長選択機構部が接続され、前記波長選択機構部は、前記通信システム内部で重複がないように定められた特定の波長の光のみを透過する波長フィルタであることを特徴とする。
【００１２】
上記課題を解決する本発明の請求項４に係る波長多重通信システムは、複数のユーザ側通信装置と一つのセンタ側通信装置との間で通信を行う通信システムにおいて、各前記ユーザ側通信装置からセンタ側通信装置への通信及び、前記センタ側通信装置から各前記ユーザ側通信装置への通信は、各々異なる波長を用い、前記ユーザ側通信装置と前記センタ側通信装置は光ファイバを多対１に分岐結合する光スプリッタを介して光ファイバで接続され、前記光スプリッタと各前記ユーザ側通信装置との間の伝送路に、該当ユーザ側通信装置に割り当てられた通信用の波長を選択的に透過するための波長選択機構部を有すること、前記光スプリッタと各前記波長選択機構部の間の伝送路が１芯の光ファイバであり、前記波長選択機構部と前記ユーザ側通信装置との間の伝送路が２芯の光ファイバであり、前記ユーザ側通信装置の発光素子が、回折格子を用いたブラッグ反射により発光する波長が決まるブラッグ反射型半導体レーザであって、半導体素子と回折格子が分離して設置されており、前記半導体素子は前記ユーザ側通信装置内に設置され、前記回折格子は前記波長選択機構部に設置され、前記波長選択機構部は、前記光スプリッタから前記ユーザ側通信装置へ向かう方向の光信号のうち、予め定められた波長の光のみを前記ユーザ側通信装置と接続された前記回折格子が設置されていない方の光ファイバに通過することを特徴とする。
【００１３】
上記課題を解決する本発明の請求項５に係る波長多重通信システムは、請求項１において、前記光スプリッタと各前記ユーザ側通信装置との間の伝送路が１芯の光ファイバであり、前記波長選択機構部は、予め定められた波長範囲の光のみを透過し、それ以外の波長の光を透過せず、各前記ユーザ側通信装置は、各々接続された前記波長選択機構部が透過可能な２種類の波長の異なる光を用いて前記センタ側通信装置と通信を行うことを特徴とする。
【００１４】
上記課題を解決する本発明の請求項６に係る波長多重通信システムは、請求項１，２，３又は５のいずれかに記載した前記センタ側通信装置は、各前記ユーザ側通信装置から前記センタ側通信装置への通信及び、前記センタ側通信装置から各前記ユーザ側通信装置への通信で使用している前記波長とは異なる波長の光を用い、すべての前記ユーザ側通信装置へ向けて放送形式で信号を送信し、前記波長選択機構部は、該当する前記ユーザ側通信装置が前記センタ側通信装置との間の前記通信に用いている２つの波長のほかに、前記放送形式で送信された信号の波長をも通過することにより、前記放送形式の信号をすべての前記ユーザ側通信装置で受信することを特徴とする。
【００１５】
上記課題を解決する本発明の請求項７に係る波長多重通信システムは、請求項１，２，３，５又は６のいずれかに記載した前記波長選択機構部は、光ファイバを接続する光終端箱に収容されることを特徴とする。
【００１６】
上記課題を解決する本発明の請求項８に係る波長多重通信システムは、請求項７に記載された前記光終端箱は、屋外光ケーブルと構内光ケーブルを接続する光終端箱であることを特徴とする。
【００１７】
【発明の実施の形態】
本発明の実施の形態を図１及び図２に示す。
図１及び図２に示すように、本発明は、複数のユーザ側通信装置Ａ〜Ｄと一つのセンタ側通信装置１０との間で通信を行う通信システムであり、ユーザ側通信装置Ａ〜Ｄとセンタ側通信装置１０の間は光ファイバで接続されると共にこの光ファイバを多対１に分岐結合する光スプリッタ３０が介設されている。
【００１８】
ここで、図１では、各ユーザ側通信装置Ａ〜Ｄからセンタ側通信装置１０への上がり方向への通信は波長λ２，４，６，８を用い、センタ側通信装置１０から各ユーザ側通信装置Ａ〜Ｄへの下り方向への通信は波長λ１，３，５，７を用いる。
また、図２では、各ユーザ側通信装置Ａ〜Ｄからセンタ側通信装置１０への上がり方向への通信は波長λ２，４，６，８を用い、センタ側通信装置１０から各ユーザ側通信装置Ａ〜Ｄへの下り方向への通信は波長λ１，２，３，４，５，６，７，８を用いる。
【００１９】
各ユーザ側通信装置Ａ〜Ｄと光終端箱５０との間の伝送路の何れかの箇所（図中破線で囲んで示す）には波長選択機構部４０が配置されている。
この波長選択機構部４０は、該当ユーザ側通信装置Ａ〜Ｄに割り当てられた通信用の波長を選択的に透過するための装置である。具体的には、通信システム内部で重複がないように定められた特定の波長の光のみを透過する波長フィルタである。
【００２０】
ここで、図１に示す波長選択機構部４０は、下り方向への通信に割り当てられた波長λ１をユーザ側通信装置Ａへ、波長λ３をユーザ側通信装置Ｂへ、波長λ５をユーザ側通信装置Ｃへ、波長λ７をユーザ側通信装置Ｄへ透過する。
また、図２に示す波長選択機構部４０は、下り方向への通信に割り当てられた波長λ１，２をユーザ側通信装置Ａへ、波長λ３，４をユーザ側通信装置Ｂへ、波長λ５，６をユーザ側通信装置Ｃへ、波長λ７，８をユーザ側通信装置Ｄへ透過する。
【００２１】
本発明では、従来は一つのＷＤＭフィルタ２０で実現していた、伝送路を分岐する機能とそれぞれのユーザ側通信装置Ａ〜Ｄに必要な波長を選択する選択機能を分離し、共用部分である伝送路を分岐する機能部分の変更を行わずに、各ユーザ側通信装置Ａ〜Ｄに割り当てる波長の変更を可能とした。
更に、ユーザ側通信装置Ａ〜Ｄの発光素子として、回折格子を用いたブラッグ反射により発光する波長が決まるブラッグ反射型半導体レーザを用いれば、この半導体素子と回折格子を分離して設置することができる。
【００２２】
このように、本発明では、図１に示すように、半導体素子をユーザ側通信装置Ａ〜Ｄ内に設置し、ファイバグレーティングなどで構成した回折格子は波長選択機構部４０に設置することを可能とし、また、図２に示すように、個々のユーザ側通信装置Ａ〜Ｄに波長依存性を持たない構造等によりユーザ側通信装置Ａ〜Ｄに波長依存性をなくすと共に、従来、電柱に設置していた波長合分波フィルタを各ユーザ側近傍に設置することにより、上記課題を解決したものである。
【００２３】
【実施例】
〔実施例１〕
本発明の第１の実施例を図３及び図４に示す。
本実施例の通信システムにおいては、センタ側通信装置１０からの各波長信号をセンタ側通信装置１０内の光波長合分波フィルタ（図示省略）を介し、１芯の光ファイバで伝送し、伝送路上のユーザ近傍に設けた波長選択機構部４０からユーザ側通信装置Ａ〜Ｄまでを１芯の光ファイバで構成し、波長選択機構部４０により、各ユーザ側通信装置Ａ〜Ｄに特定の２波長信号を送出する。
【００２４】
各ユーザ側通信装置Ａ〜Ｄからは２波長のうちの１波長をユーザ側通信装置Ａ〜Ｄで受信し、残る１波長はユーザ側通信装置Ａ〜Ｄ内で折り返し、センタ側通信装置１０へ送出される。
このとき、ユーザ側通信装置Ａ〜Ｄ内で半導体光アンプなどを用いて、折り返した光波長について増幅を行うことにより変調を行い、上り方向の信号を該当波長の光に乗せて送信する。
【００２５】
各ユーザ側通信装置Ａ〜Ｄから送出された各波長信号は、伝送路上のユーザ近傍の波長選択機構部４０を介し、１芯の光ファイバ伝送路を経由しセンタ側通信装置１０へ到達する。
センタ側では到達した信号は再度、波長選択機構部４０を介し、各信号毎に該当ユーザに振り分けられる。
波長選択機構部４０は、図３に示すように、屋外光ケーブルと構内光ケーブルを接続するための光終端箱５０内部に実装しても良く、また、図４に示すように、ユーザ側通信装置Ａ〜Ｄと光ファイバを接続する光コネクタに実装しても良い。
【００２６】
本実施例では、波長選択機構部４０を容易に交換が可能なユーザ近傍に配置し、また、ユーザ側の装置としては、従来の通信方式に比べ、ユーザ側通信装置Ａ〜Ｄでの波長依存性が不要となると共に、ユーザ毎に波長選択機構部４０が設けられることから、電柱での交換作業をなくすことが可能となり、低コスト化が実現可能となる。
例えば、ユーザの引越しや他の波長が各ユーザ毎に必要になった場合など、該当ユーザヘ割り当てられる波長が変更になったとしても、サービス提供者がその波長に対応した波長選択機構部４０を交換することにより、ユーザはこれまで使用していた通信機器をそのまま使用することが可能である。
【００２７】
〔実施例２〕
本発明の第２の実施例を図５及び図６に示す。
本実施例の通信システムにおいては、センタ側通信装置１０からの各波長信号をセンタ側通信装置１０内の光波長合分波フィルタを介し、１芯の光ファイバで伝送し、伝送路上のユーザ近傍に設けた波長選択機構部４０からユーザ側通信装置Ａ〜Ｄまでを２芯の光ファイバで構成し、波長選択機構部４０により、各ユーザ側通信装置Ａ〜Ｄに特定の２波長信号を送出する。
【００２８】
各ユーザ側通信装置Ａ〜Ｄからは２波長のうちの１波長をユーザ側通信装置Ａ〜Ｄで受信し、残る１波長はユーザ側通信装置Ａ〜Ｄ内で折り返し、センタ側通信装置１０へ送出される。
実施例１の場合と同様に、折り返す波長の光は、ユーザ側通信装置Ａ〜Ｄ内で半導体光アンプなどを用いて増幅を行うことにより変調を行い、上り方向の信号を該当波長の光に乗せて送信する。
【００２９】
各ユーザ側通信装置Ａ〜Ｄから送出された各波長信号は、伝送路上のユーザ近傍の波長選択機構部４０を介し、１芯の光ファイバ伝送路を経由しセンタ側通信装置１０へ到達する。
センタ側では到達した信号は再度、光波長合分波フィルタを介し、各信号毎に該当ユーザに振り分けられる。
波長選択機構部４０は、図５に示すように、屋外光ケーブルと構内光ケーブルを接続するための光終端箱５０内部に実装しても良く、図６に示すように、ユーザ側通信装置Ａ〜Ｄと光ファイバを接続する光コネクタに実装しても良い。
【００３０】
本実施例では、実施例１に比べ、波長選択機構部４０からユーザ側通信装置Ａ〜Ｄまでを２芯の光ファイバで伝送することにより、波長選択機構部４０の波長合波機構の削減が図られる。
即ち、ユーザ側通信装置Ａ〜Ｄでは、物理的に異なるファイバ上において受信信号を受信し、送信信号を送信するために、受信信号と送信信号及び送信信号の反射光の間の分離を行う機構が不要となる。
【００３１】
また、本実施例では、波長選択機構部４０は容易に交換が可能なユーザ近傍に配置され、ユーザ側の装置としては、従来の通信方式に比べ、ユーザ側通信装置Ａ〜Ｄでの波長依存性が不要となると共に、ユーザ毎に波長選択機構部４０が設けられることから、電柱での交換作業をなくすことが可能となり、低コスト化が実現可能となる。
例えば、ユーザの引越しや他の波長が各ユーザ毎に必要になった場合など、該当ユーザヘ割り当てられる波長が変更になったとしても、サービス提供者がその波長に対応した波長選択機構部４０を交換することにより、ユーザはこれまで使用していた通信機器をそのまま使用することが可能である。
【００３２】
〔実施例３〕
本発明の第３の実施例を図７及び図８に示す。
前述の実施例１、２では、センタ側通信装置１０から発信された特定の２波長のうち、１波長をユーザ側通信装置Ａ〜Ｄで折り返し、ユーザ側通信装置Ａ〜Ｄの発信波長として使用していたが、本実施例では、センタ側通信装置１０からは特定の１波長のみをユーザ側通信装置Ａ〜Ｄで受信し、ユーザ側通信装置Ａ〜Ｄからの発信波長については、回折格子部をそれぞれ、ユーザ側通信装置Ａ〜Ｄと波長選択機構部４０の間に設け、回折格子部により特定の波長を発信するものである。
【００３３】
本実施例の通信システムにおいては、センタ側通信装置１０からの各波長信号をセンタ側通信装置１０内の光波長合分波フィルタを介し、１芯の光ファイバで伝送し、伝送路上のユーザ近傍に設けた波長選択機構部４０からユーザ側通信装置Ａ〜Ｄまでを２芯の光ファイバで構成し、波長選択機構部４０により、各ユーザ側通信装置Ａ〜Ｄに特定の１波長信号を送出する。
各ユーザ側通信装置Ａ〜Ｄは、発光素子として回折格子を用いたブラッグ反射により発光する波長が決まるブラッグ反射型半導体レーザを用い、この半導体素子と回折格子が分離して設置される。
【００３４】
即ち、半導体素子（ＳＯＡ;Semiconductor Optical Amplifier）をユーザ側通信装置Ａ〜Ｄ内に設置し、ファイバグレーティング機構６０などで構成した回折格子をユーザ側通信装置Ａ〜Ｄと波長選択機構部４０の間に設けたものである。そのため、回折格子部において、特定の波長をユーザ側通信装置Ａ〜Ｄ内のＳＯＡへ反射することにより、ユーザ側通信装置Ａ〜Ｄから発信し、各ユーザ側通信装置Ａ〜Ｄから送出された各波長信号は伝送路上のユーザ近傍の波長選択機構部４０を介し、１芯の光ファイバ伝送路を経由しセンタ側通信装置１０へ到達する。
【００３５】
センタ側では到達した信号は再度、波長選択機構部４０を介し、各信号毎に該当ユーザに振り分けられる。
波長選択機構部４０は、図７に示すように、屋外光ケーブルと構内光ケーブルを接続するための光終端箱５０内部に実装しても良く、図８に示すように、ユーザ側通信装置Ａ〜Ｄと光ファイバを接続する光コネクタに実装しても良い。
【００３６】
本実施例では前述した実施例で述べたような、センタ側通信装置１０にユーザ宅内で光を折り返すための発信用レーザを搭載する必要がなくなる。
本実施例では、波長選択機構部４０を容易に交換が可能なユーザ近傍に配置し、ユーザ側の装置としては、従来の通信方式に比べ、ユーザ側通信装置Ａ〜Ｄでの波長依存性が不要となると共に、ユーザ毎に波長選択機構部４０が設けられることから、電柱での交換作業をなくすことが可能となり、低コスト化が実現可能となる。
例えば、ユーザの引越しや他の波長が各ユーザ毎に必要になった場合など、該当ユーザヘ割り当てられる波長が変更になったとしても、サービス提供者がその波長に対応した波長選択機構部４０を交換することにより、ユーザはこれまで使用していた通信機器をそのまま使用することが可能である。
【００３７】
〔実施例４〕
本発明の第４の実施例を図９及び図１０に示す。
上記実施例１〜３では、各ユーザ側通信装置Ａ〜Ｄが各々センタ側通信装置１０と個別に通信する場合について説明を行ったが、本実施例では、更にセンタ側通信装置１０から放送形式の信号を送信し、全てのユーザ側通信装置Ａ〜Ｄで受信する通信システムに関するものである。
【００３８】
また、各ユーザ側通信装置Ａ〜Ｄと各々センタ側通信装置１０との個別の通信については、実施例１〜３のいずれの方法であっても用いることが可能である。
ここで、センタ側通信装置１０は、各ユーザ側通信装置Ａ〜Ｄが各々センタ側通信装置１０と個別に通信に使用している波長λ１〜λ８とは異なる波長λ９を用いて、下り方向に放送形式の通信信号を送信する。
各ユーザ側通信装置Ａ〜Ｄに接続された波長選択機構部４０は、該当ユーザ側通信装置Ａ〜Ｄが各々センタ側通信装置１０と個別に通信に用いる波長λ１及びλ２及び、下り方向に放送形式の通信信号で用いる波長λ９を透過する。
【００３９】
この結果、ユーザ側通信装置Ａ〜Ｄ側では、放送形式の通信信号をも受信することが可能となる。
図９に示すように、個別の通信と放送形式の通信の両方を一つのユーザ側通信装置Ａで行うこともでき、図１０に示すように、個別の通信と放送形式の通信を別々のユーザ側通信装置Ａ，Ａ’で行うことも可能である。
本実施例では、波長選択機構部４０を容易に交換が可能なユーザ近傍に配置し、ユーザ側の装置としては、従来の通信方式に比べ、ユーザ側通信装置Ａ〜Ｄでの波長依存性が不要となると共に、ユーザ毎に波長選択機構部４０が設けられることから、電柱での交換作業をなくすことが可能となり、低コスト化が実現可能となる。
【００４０】
例えば、ユーザの引越しや他の波長が各ユーザ毎に必要になった場合など、該当ユーザヘ割り当てられる波長が変更になったとしても、サービス提供者がその波長に対応した波長選択機構部４０を交換することにより、ユーザはこれまで使用していた通信機器をそのまま使用することが可能である。
また、従来のＷＤＭシステムにおいては、放送型の通信を個別通信に多重することができなかったが、本実施例においては、光分岐素子として波長依存性のない光スプリッタ３０を用いることにより、放送型の通信も可能となった。
【００４１】
〔実施例５〕
本発明の第５の実施例を図１１及び図１２に示す。
本実施例の通信システムにおいては、センタ側装置からの各波長信号をセンタ側装置内の光波長合分波フィルタを介し、１芯の光ファイバで伝送し、伝送路上の光スプリッタ３０からユーザ側通信装置Ａ〜Ｄまでを２芯の光ファイバで構成し、２芯各々の光ファイバに対し、波長選択機構部４０を設け、各ユーザ側通信装置Ａ〜Ｄに特定の２波長を送出する。
【００４２】
各ユーザ側通信装置Ａ〜Ｄからは２波長のうちの１波長をユーザ側装置で受信し、残る１波長はユーザ側通信装置Ａ〜Ｄ内で折り返し、センタ側通信装置１０へ送出される。
実施例１の場合と同様に、折り返す波長の光は、ユーザ側装置内で半導体光アンプなどを用いて増幅を行うことにより変調を行い、上り方向の信号を該当波長の光に乗せて送信する。
【００４３】
各ユーザ側装置から送出された各波長信号は伝送路上のユーザ近傍の波長選択機構部４０を介し、伝送路上の柱上に設置された光スプリッタ３０まで各々の光ファイバで伝送し、光スプリッタ３０を通過し、１芯の光ファイバ伝送路を経由しセンタ側装置へ到達する。
センタ側では到達した信号は再度、光波長合分波フィルタを介し、各信号毎に該当ユーザに振り分けられる。
波長選択機構部４０は、図１１に示すように、屋外光ケーブルと構内光ケーブルを接続するための光終端箱５０内部に実装しても良く、図１２に示すように、ユーザ側通信装置Ａ〜Ｄと光ファイバを接続する光コネクタに実装しても良い。
【００４４】
本実施例では、実施例１に比ベ、光スプリッタ３０からユーザ側通信装置Ａ〜Ｄまでを２芯の光ファイバで伝送することにより、波長選択機構部４０の波長合分波機構の削減が図られる。
即ち、波長選択機構部４０及びユーザ側通信装置Ａ〜Ｄでは、物理的に異なるファイバ上において受信信号を受信し、送信信号を送信するために、受信信号と送信信号及び送信信号の反射光の間の分離を行う機構が不要となる。
【００４５】
また、容易に交換が可能なユーザ近傍に波長選択機構部４０を持たせ、ユーザ側の装置としては、従来の通信方式に比べ、ユーザ側装置での波長依存性が不要となるとともに、ユーザ毎に波長選択機構部４０が設けられることから、電柱での交換作業をなくすことが可能となり、低コスト化が実現可能となる。
例えば、ユーザの引越しや他の波長が各ユーザ毎に必要になった場合など、該当ユーザへ割り当てられる波長が変更になったとしても、サービス提供者がその波長に対応した波長選択機構部４０を交換することにより、ユーザはこれまで使用していた通信機器をそのまま使用することが可能である。
【００４６】
このように説明したように本発明は、通信センタとユーザ間をそれぞれ異なる波長で通信する波長多重の光通信ネットワークにおいて、光を分岐結合する光スプリッタ３０とユーザ個別の波長を選択する波長選択機構部４０を有することを特徴とした波長多重通信システムである。
従って、本発明によれば、ユーザは、ユーザ側通信装置Ａ〜Ｄの種別を意識する必要なく自装置を転居先でも利用できると共に、サービス提供事業者もユーザ端末種別を管理する必要がないため、サービスの低コスト化が可能になる。
更に、設備交換コストやネットワークの信頼性も併せて改善されるものである。
【００４７】
【発明の効果】
以上、説明したように、本発明によれば、以下の４つの効果を奏する。
（１）端末利用者がユーザ側通信装置の種別を意識する必要がなく、ユーザが移転した場合でも装置交換が不要となり、サービス提供側においてもユーザ端末種別の管理が不要となる。このため、サービスの低コスト化が可能となる。
（２）波長選択機構部を電柱ではなく、ユーザ近傍に設けることにより、ユーザ毎に使用する波長を変更したい場合や全く別の波長を使用する場合にユーザ毎の波長選択機構部を交換することにより対応するため、交換コスト等が削減でき、低コスト化が実現できる。
（３）パッシブ・オプティカル・ネットワーク形態のシステムと違い、特定のユーザ側通信装置の故障等による、伝送路上の同一光ファイバ１芯を共有している他のユーザの通信を妨害したり、ネットワーク側に対し通信障害を与える恐れがなくなり、ユーザ及びネットワークの信頼性向上が図られる。
（４）将来、多くのサービスに波長割当が行われた場合、伝送路上の機器を交換することなく、ユーザ側の波長選択機構部の交換で対処できることから交換コストの削減が図られる。
【図面の簡単な説明】
【図１】本発明の実施の形態に係る波長多重通信システムの概念図である。
【図２】本発明の実施の形態に係る波長多重通信システムの概念図である。
【図３】本発明の第１の実施例に係る波長多重通信システムの概念図である。
【図４】本発明の第１の実施例に係る波長多重通信システムの概念図である。
【図５】本発明の第２の実施例に係る波長多重通信システムの概念図である。
【図６】本発明の第２の実施例に係る波長多重通信システムの概念図である。
【図７】本発明の第３の実施例に係る波長多重通信システムの概念図である。
【図８】本発明の第３の実施例に係る波長多重通信システムの概念図である。
【図９】本発明の第４の実施例に係る波長多重通信システムの概念図である。
【図１０】本発明の第４の実施例に係る波長多重通信システムの概念図である。
【図１１】本発明の第５の実施例に係る波長多重通信システムの概念図である。
【図１２】本発明の第５の実施例に係る波長多重通信システムの概念図である。
【図１３】従来の技術を用いた波長多重通信システムの概念図である。
【符号の説明】
１０  センタ側通信装置
２０  ＷＤＭフィルタ
３０  光スプリッタ
４０  波長選択機構部
５０  光終端箱
６０  ファイバグレーティング機構
Ａ，Ａ’，Ｂ，Ｃ，Ｄ  ユーザ側通信装置
【図１】
0003755761.tif 000002
【図２】
0003755761.tif 000003
【図３】
0003755761.tif 000004
【図４】
0003755761.tif 000005
【図５】
0003755761.tif 000006
【図６】
0003755761.tif 000007
【図７】
0003755761.tif 000008
【図８】
0003755761.tif 000009
【図９】
0003755761.tif 000010
【図１０】
0003755761.tif 000011
【図１１】
0003755761.tif 000012
【図１２】
0003755761.tif 000013
【図１３】
0003755761.tif 000014